(57)【要約】【課題】容易に取り付け可能であり且つ堅牢な構成とされた配線を接続するための部材が設けられた什器、及び容易に取り付け可能であり且つ堅牢な構成とされた配線接続ユニットを提供する。【解決手段】什器では、取付手段は、第一係合部７２，８１、及び第一係合部７２，８１と係合される第一被係合部５２，５６、を有し、配線接続部材７０と什器本体４とを接続する接続面７０ｕ，５０ｂに直交する直交方向のうち離間する方向への什器本体４及び配線接続部材７０の移動を規制する第一係合要素と、第二係合部６０、及び第二係合部６０と係合される第二被係合部７８、を有し、配線接続部材７０の直交方向と直交する第一方向の一方側への移動を規制する第二係合要素と、を有し、第一係合要素は、配線接続部材７０と什器本体４とを接続する接続面７０ｕ，５０ｂに沿って３箇所以上に設けられていることを特徴とする。【選択図】図２
2018073745.tif 000002
【特許請求の範囲】
【請求項１】
配線との接続部を有する配線接続部材と、
該配線接続部材を什器本体に取り付ける取付手段と、を備え、
該取付手段は、
前記什器本体及び前記配線接続部材のいずれか一方に設けられた第一係合部、及び前記什器本体及び前記配線接続部材の他方に設けられ、前記第一係合部と係合される第一被係合部、を有し、前記配線接続部材と前記什器本体とを接続する接続面に直交する直交方向のうち離間する方向への前記什器本体及び前記配線接続部材の移動を規制する第一係合要素と、
前記什器本体及び前記配線接続部材のいずれか一方に設けられた第二係合部、及び前記什器本体及び前記配線接続部材の他方に設けられ、前記第二係合部と係合される第二被係合部、を有し、前記配線接続部材の前記直交方向と直交する第一方向の一方側への移動を規制する第二係合要素と、を有し、
前記第一係合要素は、前記配線接続部材と前記什器本体とを接続する前記接続面に沿って３箇所以上に設けられていることを特徴とする什器。
【請求項２】
前記第一係合要素は、前記接続面に沿う一方向に離間して複数設けられていることを特徴とする請求項１に記載の什器。
【請求項３】
前記第一方向の前記他方側への前記配線接続部材の移動により、前記第一係合部と前記第一被係合部が係合可能であるとともに、前記第二係合部と前記第二被係合部とが係合可能であることを特徴とする請求項１または２に記載の什器。
【請求項４】
一の前記第一係合部は、前記配線接続部材に設けられ、前記什器本体側に突出する凸部であり、
一の前記第一被係合部は、前記什器本体に設けられ、前記凸部が挿通される挿通孔であり、
前記凸部の基部が前記挿通孔の縁部に係合していることを特徴とする請求項１から３のいずれか一項に記載の什器。
【請求項５】
前記一の第一係合部及び前記一の第一被係合部は、前記直交方向及び前記第一方向と直交する第二方向への移動を規制していることを特徴とする請求項４に記載の什器。
【請求項６】
他の前記第一係合部は、前記配線接続部材に設けられ、前記什器本体側に突出する係合片であり、
他の前記第一被係合部は、前記什器本体に設けられ、前記係合片の前記配線接続部材側の面を支持する支持片であることを特徴とする請求項１から３のいずれか一項に記載の什器。
【請求項７】
前記第二係合部は、前記什器本体に設けられ、前記配線接続部材側に突出する突出片であり、
前記第二被係合部は、前記配線接続部材に設けられ、前記什器本体と反対側に凹み、前記突出片の先端部が係合する凹部であることを特徴とする請求項１から６のいずれか一項に記載の什器。
【請求項８】
床面に設置される支持体と、
該支持体に支持され、上面に機能面を有する機能部材と、を備え、
前記配線接続部材は、前記機能部材の下面に設けられていることを特徴とする請求項１から７のいずれか一項に記載の什器。
【請求項９】
什器本体に取り付け可能とされたベース部材と、
配線との接続部を有する配線接続部材と、
該配線接続部材を前記ベース部材に取り付ける取付手段と、を備え、
該取付手段は、
前記ベース部材及び前記配線接続部材のいずれか一方に設けられた第一係合部、及び前記ベース部材及び前記配線接続部材の他方に設けられ、前記第一係合部と係合される第一被係合部、を有し、前記配線接続部材と前記ベース部材とを接続する接続面に直交する方向のうち離間する方向への前記什器本体及び前記配線接続部材の移動を規制する第一係合要素と、
前記ベース部材及び前記配線接続部材のいずれか一方に設けられた第二係合部、及び前記ベース部材及び前記配線接続部材の他方に設けられ、前記第二係合部と係合される第二被係合部、を有し、前記配線接続部材の前記直交方向と直交する第一方向の一方側への移動を規制する第二係合要素と、を有し、
前記第一係合要素は、前記配線接続部材と前記ベース部材とを接続する前記接続面に沿って３箇所以上に設けられていることを特徴とする配線接続ユニット。
【発明の詳細な説明】
【技術分野】
【０００１】
本発明は、什器及び配線接続ユニットに関するものである。
【背景技術】
【０００２】
従来から、電源プラグが接続可能なコンセントが設けられた机やテーブル等の什器が知られている。例えば、コンセントが什器の天板の下面に螺子で固定されたものが知られている（下記の特許文献１，２参照）。
【０００３】
また、什器の棚に取り付けられたコンセントボックス本体に開口が設けられ、スイッチが設けられたスイッチカバーが開口に取り付けられたコンセントボックスが知られている。スイッチカバーの上下にはフック片が設けられ、このフック片が開口の縁部に係止されることで、スイッチカバーが開口に取り付けられる構成である（下記の特許文献３参照）。
【先行技術文献】
【特許文献】
【０００４】
【特許文献１】特開２００２−３１３５０３号公報
【特許文献２】特開２００３−１０９７１３号公報
【特許文献３】実公平６−２０４２０号公報
【発明の概要】
【発明が解決しようとする課題】
【０００５】
しかしながら、特許文献１，２に記載の什器では、天板の下方からコンセントを視認して螺子で螺合するため、視認や螺子止め作業がしづらいという問題点がある。
【０００６】
また、特許文献３に記載の什器では、コンセントボックス本体が什器に対して螺子等の固定手段で固定されたものであり、コンセントボックス本体を什器に固定した後に、スイッチカバーをコンセントボックス本体に係止させる。このように、コンセントボックス本体の固定及びスイッチカバーの係止作業を伴うため、作業性が悪いという問題点がある。
【０００７】
また、配線を接続するための配線接続部材に対してアダプタを抜き差しすると、配線接続部材に抜き差しする方向に負荷がかかる。特許文献３に記載の什器では、スイッチカバーは上下のフック片が開口の縁部に係止される構成であるため、配線接続部材としてスイッチカバーにコンセントを設けた構成とすると、アダプタを抜く方向の力により、フック片が開口の縁部から外れてしまう可能性がある。さらに、什器自体にスイッチ等を配置するための開口を設けなくてはならないため、美観が損なわれてしまう。
【０００８】
本発明は、上記事情に鑑みてなされたものであり、容易に取り付け可能であり且つ堅牢な構成とされた配線を接続するための部材が設けられた什器、及び容易に取り付け可能であり且つ堅牢な構成とされた配線接続ユニットを提供するものである。
【課題を解決するための手段】
【０００９】
本発明は、上記課題を解決するため、本発明は以下の手段を採用する。
すなわち、本発明に係る什器は、配線との接続部を有する配線接続部材と、該配線接続部材を什器本体に取り付ける取付手段と、を備え、該取付手段は、前記什器本体及び前記配線接続部材のいずれか一方に設けられた第一係合部、及び前記什器本体及び前記配線接続部材の他方に設けられ、前記第一係合部と係合される第一被係合部、を有し、前記配線接続部材と前記什器本体とを接続する接続面に直交する直交方向のうち離間する方向への前記什器本体及び前記配線接続部材の移動を規制する第一係合要素と、前記什器本体及び前記配線接続部材のいずれか一方に設けられた第二係合部、及び前記什器本体及び前記配線接続部材の他方に設けられ、前記第二係合部と係合される第二被係合部、を有し、前記配線接続部材の前記直交方向と直交する第一方向の一方側への移動を規制する第二係合要素と、を有し、前記第一係合要素は、前記配線接続部材と前記什器本体とを接続する前記接続面に沿って３箇所以上に設けられていることを特徴とする。
【００１０】
このように構成された什器では、什器本体及び配線接続部材のいずれか一方に設けられた第一係合部を什器本体及び配線接続部材の他方に設けられた第一被係合部に係合させるとともに、什器本体及び配線接続部材のいずれか一方に設けられた第二係合部を什器本体及び配線接続部材の他方に設けられた第二被係合部に係合される。これにより、配線接続部材が什器に設けられた什器本体に係合されるため、配線との接続部を有する配線接続部材を什器に容易に取り付けることができる。
また、第一係合要素は、第一係合部及び第一被係合部を有し、配線接続部材と什器本体とを接続する接続面に直交する直交方向のうち離間する方向への什器本体及び配線接続部材の移動を規制し、什器本体と配線接続部材との接続面に沿って３箇所以上に設けられている。さらに、第二係合要素は、第二係合部及び第二被係合部を有し、配線接続部材の直交方向と直交する第一方向の一方側への移動を規制する。よって、配線の抜き差し等により離間する方向に作用する力を３箇所で負担することができるとともに、第一方向の一方側への移動が規制されるため、什器本体及び什器本体に取付手段で取り付けられた配線接続部材を堅牢な構成とすることができる。
また、配線接続部材が接続面に堅牢に保持されているため、什器に配線接続部材を取り付けるために、什器に開口等を設ける必要が無い。
【００１１】
また、本発明に係る什器では、前記第一係合要素は、前記接続面に沿う一方向に離間して複数設けられていることが好ましい。
【００１２】
このように構成された什器では、第一係合要素は接続面に沿う一方向に離間して複数設けられている。よって、接続面から直交方向に離間した箇所に衝撃等が加わり、配線接続部材に対して接続面から引き剥がそうとするモーメントが作用しても、複数の第一係合要素により十分に抗することができる。
【００１３】
また、本発明に係る什器は、前記第一方向の前記他方側への前記配線接続部材の移動により、前記第一係合部と前記第一被係合部が係合可能であるとともに、前記第二係合部と前記第二被係合部とが係合可能であってもよい。
【００１４】
このように構成された什器では、配線接続部材を什器本体に対して第一方向の他方側に移動させることで、第一係合部と第一被係合部とは係合されているともに、第二係合部と第二被係合部とは係合される。よって、配線接続部材の第一方向の他方側への移動により配線接続部材は什器本体に取り付けられるため、配線接続部材を什器本体に容易に取り付けることができる。
【００１５】
また、本発明に係る什器は、一の前記第一係合部は、前記配線接続部材に設けられ、前記什器本体側に突出する凸部であり、一の前記第一被係合部は、前記什器本体に設けられ、前記凸部が挿通される挿通孔であり、前記凸部の基部が前記挿通孔の縁部に係合していてもよい。
【００１６】
このように構成された什器では、配線接続部材に設けられた一の第一係合部である凸部を、什器本体に設けられた一の第一被係合部である挿通孔に挿通させ、凸部の基部を挿通孔の縁部に係合させることで、配線接続部材は什器本体に取り付けられる。
【００１７】
また、本発明に係る什器は、前記一の第一係合部及び前記一の第一被係合部は、前記直交方向及び前記第一方向と直交する第二方向への移動を規制していてもよい。
【００１８】
このように構成された什器では、一の第一係合部及び一の第一被係合部は、直交方向及び前記第一方向と直交する第二方向への移動を規制しているため、配線接続部材と什器本体との間での第二方向への移動が規制される。
【００１９】
また、本発明に係る什器は、他の前記第一係合部は、前記配線接続部材に設けられ、前記什器本体側に突出する係合片であり、他の前記第一被係合部は、前記什器本体に設けられ、前記係合片の前記配線接続部材側の面を支持する支持片であってもよい。
【００２０】
このように構成された什器では、配線接続部材に設けられた他の第一係合部である係合片を、什器本体に設けられ、係合片の配線接続部材側の面を支持する他の第一被係合部である支持片に係合させることで、配線接続部材は什器本体に取り付けられる。
【００２１】
また、本発明に係る什器は、前記第二係合部は、前記什器本体に設けられ、前記配線接続部材側に突出する突出片であり、前記第二被係合部は、前記配線接続部材に設けられ、前記什器本体と反対側に凹み、前記突出片の先端部が係合する凹部であってもよい。
【００２２】
このように構成された什器では、什器本体に設けられた第二係合部である突出片の先端部を、配線接続部材に設けられ、什器本体と反対側に凹む第二被係合部である凹部に係合させることで、配線接続部材は什器本体に取り付けられる。
【００２３】
また、本発明に係る什器は、床面に設置される支持体と、該支持体に支持され、上面に機能面を有する機能部材と、を備え、前記配線接続部材は、前記機能部材の下面に設けられていてもよい。
【００２４】
このように構成された什器では、配線接続部材は機能部材の下面に設けられている。よって、機能部材の下方に形成される上下方向の空間を利用して、配線接続部材を機能部材の下面に取り付けることができる。
【００２５】
また、本発明に係る配線接続ユニットは、什器本体に取り付け可能とされたベース部材と、配線との接続部を有する配線接続部材と、該配線接続部材を前記ベース部材に取り付ける取付手段と、を備え、該取付手段は、前記ベース部材及び前記配線接続部材のいずれか一方に設けられた第一係合部、及び前記ベース部材及び前記配線接続部材の他方に設けられ、前記第一係合部と係合される第一被係合部、を有し、前記配線接続部材と前記ベース部材とを接続する接続面に直交する方向のうち離間する方向への前記什器本体及び前記配線接続部材の移動を規制する第一係合要素と、前記ベース部材及び前記配線接続部材のいずれか一方に設けられた第二係合部、及び前記ベース部材及び前記配線接続部材の他方に設けられ、前記第二係合部と係合される第二被係合部、を有し、前記配線接続部材の前記直交方向と直交する第一方向の一方側への移動を規制する第二係合要素と、を有し、前記第一係合要素は、前記配線接続部材と前記ベース部材とを接続する前記接続面に沿って３箇所以上に設けられていることを特徴とする。
【００２６】
このように構成された配線接続ユニットでは、ベース部材及び配線接続部材のいずれか一方に設けられた第一係合部をベース部材及び配線接続部材の他方に設けられた第一被係合部に係合させるとともに、ベース部材及び配線接続部材のいずれか一方に設けられた第二係合部をベース部材及び配線接続部材の他方に設けられた第二被係合部に係合される。これにより、配線接続部材が什器に設けられたベース部材に係合されるため、配線との接続部を有する配線接続部材を什器に容易に取り付けることができる。
また、第一係合要素は、第一係合部及び第一被係合部を有し、配線接続部材とベース部材とを接続する接続面に直交する直交方向のうち離間する方向への什器本体及び配線接続部材の移動を規制し、ベース部材と配線接続部材との対向面に沿って３箇所以上に設けられている。さらに、第二係合要素は、第二係合部及び第二被係合部を有し、配線接続部材の直交方向と直交する第一方向の一方側への移動を規制する。よって、配線の抜き差し等により離間する方向に作用する力を３箇所で負担することができるとともに、第一方向の一方側への移動が規制されるため、配線接続ユニットを堅牢な構成とすることができる。
【発明の効果】
【００２７】
本発明に係る什器によれば、容易に取り付け可能であり且つ堅牢な構成とされた配線を接続するための部材が設けられるとともに、本発明に係る配線接続ユニットによれば容易に取り付け可能であり且つ堅牢な構成とすることができる。
【図面の簡単な説明】
【００２８】
【図１】本発明の一実施形態に係る什器の全体構成を示す斜視図である。
【図２】本発明の一実施形態に係る配線接続ユニットの分解斜視図である。
【図３】本発明の一実施形態に係る配線接続ユニットのベース部材を配線接続部材側から見た斜視図である。
【図４】本発明の一実施形態に係る配線接続ユニットのベース部材を配線接続部材と反対側から見た図である。
【図５】本発明の一実施形態に係る配線接続ユニットの分解斜視図であり、一部を破断して示している。
【図６】本発明の一実施形態に係る配線接続ユニットにおいて、ベース部材に配線接続部材を取り付ける様子を示す図である。
【図７】図６の後工程を示す図である。
【図８】本発明の一実施形態に係る配線接続ユニットの構成を示す斜視図である。
【図９】図８のＡ−Ａ断面図である。
【図１０】図８のＢ−Ｂ断面図である。
【発明を実施するための形態】
【００２９】
以下、添付図面を参照して、本発明に係る什器を実施するための形態を説明する。しかし、本発明はこれらの実施形態のみに限定されるものではない。
【００３０】
図１は、本発明の一実施形態に係る什器の全体構成を示す斜視図である。
図１に示すように、什器の一例であるソファー装置１００は、床面Ｆに設置される支持体１と、支持体１に支持された背凭れ２及び座３と、支持体１に支持された天板（什器本体、機能部品）４と、天板４の下面に設けられたコンセントユニット（配線接続ユニット）５と、を備えている。
以下の説明において、便宜上、ソファー装置１００に着座した着座者が前を向く方向を着座方向とし、着座方向の前方を単に「前方」、その反対方向を「後方」と称する。また、ソファー装置１００が設置される床面Ｆ側とその反対側を結ぶ方向を「上下方向」と称する。また、ソファー装置１００の幅方向、つまり前後方向と直交する水平方向を「幅方向」と称する。また、図中において、前方を矢印ＦＲで示し、上方を矢印ＵＰで示し、幅方向の左方を矢印ＬＨで示す。
【００３１】
支持体１は、床面Ｆ上に設置される４本の縦フレーム１１と、縦フレーム１１の上端部どうしを連結する連結フレーム１２と、連結フレーム１２から幅方向の外側に延びる延出フレーム１３と、を有している。これら縦フレーム１１、連結フレーム１２及び延出フレーム１３は、一体的に形成されている。縦フレーム１１の下端部には、高さ調整可能なアジャスタ１４が設けられている。
【００３２】
背凭れ２及び座３は、ベース材２１と、ベース材２１に設けられ弾力性を有するクッション材２２と、を有している。ベース材２１及びクッション材２２の後側が背凭れ２とされ、前側が座３とされている。
【００３３】
天板４は、延出フレーム１３に支持されて、平面視矩形状をなしている。
【００３４】
図２は、コンセントユニット５の分解斜視図である。天板４を二点鎖線で示している。
図２に示すように、コンセントユニット５は、天板４に固定される取付プレート（ベース部材）５０と、取付プレート５０に係合されるコンセントボックス（配線接続部材）７０と、を有している。
【００３５】
まず、取付プレート５０及びコンセントボックス７０の各構成について説明する。
取付プレート５０は、平面視略長方形状に形成されている。取付プレート５０は、長辺がソファー装置１００の幅方向に沿い、短辺がソファー装置１００の前後方向に沿うように配置されている。取付プレート５０は、上面５０ｕが天板４の下面４ｂに沿って配置され、下面（接続面）５０ｂがコンセントボックス７０側を向いて配置されている。
【００３６】
取付プレート５０の四隅近傍には、取付孔５１が形成されている。取付孔５１は、上部５１ｕの径よりも下部５１ｂの径の方が大きい。
【００３７】
図３は、取付プレート５０を下方から見た斜視図である。
図２及び図３に示すように、取付プレート５０において、各取付孔５１よりも幅方向（ソファー装置１００の幅方向）の内側には、ボルト挿通孔（挿通孔、第一被係合部、第一係合要素）５２が形成されている。ボルト挿通孔５２は、幅方向に離間して一対形成されている。
【００３８】
図４は、取付プレート５０を上方から見た上面図である。
図４に示すように、ボルト挿通孔５２は、前後方向に長い長孔をなしている。ボルト挿通孔５２は、上側では、幅方向に離間して配置され平面状に形成された一対の第一平面部５２ａ、及び一対の第一平面部５２ａの前後両端部をそれぞれ円弧状に結ぶ第一円弧部５２ｂ、第二円弧部５２ｃで形成されている。
【００３９】
また、ボルト挿通孔５２は、下側では、一対の第一平面部５２ａよりも平面視で幅方向の内側に配置され平面状に形成された第二平面部５２ｄ、一対の第二平面部５２ｄの前端部から延び第一円弧部５２ｂと同一円弧上に配置される第三円弧部５２ｅ、及び一対の第二平面部５２ｄの後端部を円弧状に結ぶ第四円弧部５２ｆで形成されている。
【００４０】
つまり、第一平面部５２ａ及び第二円弧部５２ｃと、第二平面部５２ｄ及び第四円弧部５２ｆとの間には、段部５２ｇが形成されている。
【００４１】
図５は、コンセントユニット５の分解斜視図であり、一部を破断して示している。
図５に示すように、ボルト挿通孔５２の前方では、平面視において、第一円弧部５２ｂに沿って円弧状に形成された円弧壁部５３が形成されている。円弧壁部５３の下部には、前方に向かって延びる支持片５４が設けられている。
【００４２】
取付プレート５０の前端部において、下部では、支持片５４の前端部まで切り欠かれた凹部５６が形成されている。換言すると、凹部５６の上方には、取付プレート５０の上面から垂下する上壁部５７が形成されている。
【００４３】
一対のボルト挿通孔５２の間（幅方向の間）には、係合爪６０が設けられている。係合爪６０は、取付プレート５０の上面５０ｕに設けられた基部６１と、基部６１から前方に延びる連結部６２と、を有している。
【００４４】
基部６１は、取付プレート５０の上面５０ｕから前方に向かうにしたがって次第に下方に向かう形状をしている。図３に示すように、基部６１の後部において、下方には、取付プレート５０の下面５０ｂから上方に凹む肉抜き凹部６３が形成されている。肉抜き凹部６３により、取付プレート５０の肉厚が均質にされている。
【００４５】
図５に示すように、連結部６２は、基部６１の前端部から前方に延びている。連結部６２の前端部には、幅方向の両端部から下方に折曲された側壁部６４が設けられている。各側壁部６４の後端部どうしは、係合壁部６５で連結されている。
【００４６】
図２に示すように、連結部６２の幅方向の側方には、取付プレート５０を上下方向に貫通し、前後方向に延びるスリット６６が形成されている。
【００４７】
図２に示すように、取付プレート５０の前端部において、下部では、係合爪６０の前端部まで切り欠かれた凹部６７が形成されている。換言すると、凹部５６の上方には、取付プレート５０の上面から垂下する上壁部６８が形成されている。
【００４８】
コンセントボックス７０は、平面視略長方形状に形成されている。コンセントボックス７０は、長辺がソファー装置１００の幅方向に沿い、短辺がソファー装置１００の前後方向に沿うように配置されている。コンセントボックス７０は、上面（接続面）７０ｕが取付プレート５０の下面５０ｂに沿って配置され、下面７０ｂが床面Ｆ（図１参照）側を向いて配置されている。
【００４９】
コンセントボックス７０は、ボックス本体部７１と、コンセントカバー部８０と、を有している。
ボックス本体部７１の上面７１ｕには、幅方向に離間して一対のボルト頭部（凸部、第一係合部、第一係合要素）７２が設けられている。各ボルト頭部７２の上部は、平面視円形状をなしている。各ボルト頭部７２の下部において、前部には円弧状をなす円弧部７２ａが設けられ、左右両側部は前後方向に延び平面状をなす平面部７２ｂが設けられ、後部には左右方向に延び平面状をなす平面部７２ｃが設けられている。
【００５０】
幅方向に離間して配置されたボルト頭部７２の間には、係合溝７５が設けられている。係合溝７５は、前方に向かうにしたがって次第に下方に傾斜する傾斜面７６と、傾斜面７６の前端部から上方に突出する上向き片７７と、を有している。
【００５１】
ボックス本体部７１の上面７１ｕにおいて、上向き片７７の前方には、下方に凹む凹部（第二被係合部、第二係合要素）７８が設けられている。
【００５２】
これら係合溝７５の左右両側には、ボックス本体部７１の上面から立設された規制壁部７９が設けられている。
【００５３】
コンセントカバー部８０の上面には、各ボルト頭部７２よりも前方に、それぞれ係合片８１が設けられている。係合片８１は、コンセントカバー部８０の上面８０ｕから上方延びる係合基部８２と、係合基部８２から後方に延びる係合片部８３と、を有している。
【００５４】
コンセントカバー部８０の前面８０ｆには、コンセントプラグの差込口（接続部）８６及びＵＳＢポート（接続部）８７が設けられている。
【００５５】
次に、上記のコンセントユニット５の天板４への取り付け方法、及び取付プレート５０とコンセントボックス７０との係合状態（取り付け状態）について説明する。
【００５６】
まず、図２に示すように、取付プレート５０の各取付孔５１の下方から螺子５１ｚを挿通させ、天板４に螺子５１ｚを螺合させる。これにより、取付プレート５０は、天板４に固定される。螺子頭５１ｙは、取付孔５１の下部５１ｂ（図３参照）に配置される。
【００５７】
図６は、コンセントユニット５において、取付プレート５０にコンセントボックス７０を取り付ける様子を示す図である。図７は、図６の後工程を示す図である。
図６及び図７に示すように、コンセントボックス７０の上面７０ｕを取付プレート５０の下面５０ｂに対向させる。コンセントボックス７０の各ボルト頭部７２を、取付プレート５０の各ボルト挿通孔５２の前部に配置する。ボルト頭部７２の上部及び下部の円弧部７２ａは、ボルト挿通孔５２の第一円弧部５２ｂ，第三円弧部５２ｅに沿って配置される。
【００５８】
次に、コンセントボックス７０を後方（第一方向の他方側）に移動させる。
図４及び図７に示すように、これにより、ボルト頭部７２の下部の平面部７２ｂがボルト挿通孔５２の第二平面部５２ｄに沿うとともに、ボルト頭部７２の上部は第一平面部５２ａに沿って、後方に移動する。換言すると、ボルト頭部７２の上部の下面は段部５２ｇに沿って移動する。そして、ボルト頭部７２の上部がボルト挿通孔５２の後端部に当接した位置で、ボルト頭部７２の上部がボルト挿通孔５２の第二円弧部５２ｃに当接して、後方及び左右両側（第二方向）への移動が規制される。また、ボルト頭部７２上部の下面がボルト挿通孔５２の段部５２ｇに当接して、下方（直交方向のうち離間する方向）への移動が規制される。
【００５９】
図８は、コンセントユニット５の構成を示す斜視図である。図９は、図８のＡ−Ａ断面図である。図１０は、図８のＢ−Ｂ断面図である。
図８から図１０に示すように、当該後方への移動にともない、コンセントボックス７０の係合片８１は、取付プレート５０の支持片５４の上面に係合する。これにより、コンセントボックス７０の下方への移動が規制される。
【００６０】
また、取付プレート５０の係合爪（突出片、第二係合部、第二係合要素）６０は、基部６１を基端として、連結部６２及び係合壁部６５を上方に弾性変位した状態を維持しつつ、係合壁部６５がコンセントボックス７０の傾斜面７６上を滑っていく。係合爪６０の係合壁部６５がコンセントボックス７０の上向き片７７を乗り越えると、連結部６２が下方に弾性変位して初期位置に復帰するととともに、係合壁部６５が上向き片７７の前方の凹部７８に嵌り込む。嵌り込んだ位置で、係合壁部６５と上向き片７７とは係合して、コンセントボックス７０の前方（第一方向の一方側）への移動が規制される。
【００６１】
また、図７及び図８に示すように、係合爪６０の各側壁部６４の側方のスリット６６には、規制壁部７９が配置されている。これにより、コンセントボックス７０の左右両側への移動が規制される。
【００６２】
コンセントボックス７０を取付プレート５０から取り外す際には、コンセントボックス７０の凹部７８と係合爪６０の前端部との間の操作空間Ｓに細長い治具を差し込んで、係合爪６０を上方に移動させる。これにより、係合爪６０と上向き片７７との係合が解除され、コンセントボックス７０が取付プレート５０に対して相対的に前方に移動することが可能となる。
【００６３】
このように構成されたソファー装置１００では、コンセントボックス７０に設けられたボルト頭部７２及び係合片８１を取付プレート５０に設けられたボルト挿通孔５２及び支持片５４に係合させるとともに、取付プレート５０に設けられた係合爪６０をコンセントボックス７０に設けられた凹部５６の上向き片７７に係合される。これにより、コンセントボックス７０がソファー装置１００に設けられた取付プレート５０に係合されるため、配線との接続部を有するコンセントボックス７０をソファー装置１００に容易に取り付けることができる。
【００６４】
また、ボルト頭部７２とボルト挿通孔５２との係合及び係合片８１と支持片５４との係合は、コンセントボックス７０の取付プレート５０に対する相対的な下方への移動を規制する。ボルト頭部７２とボルト挿通孔５２との係合箇所は２箇所、係合片８１と支持片５４との係合箇所は２箇所、合わせると４箇所に設けられている。さらに、係合爪６０と凹部５６の上向き片７７との係合は、コンセントボックス７０の取付プレート５０に対する相対的な前方への移動を規制する。よって、配線の抜き差し等により、コンセントボックス７０を取付プレート５０に対して下向きに離間させる方向の力が作用しても４箇所で負担することができるとともに、コンセントボックス７０の前方への移動が規制されるため、コンセントユニット５を堅牢な構成とすることができる。
【００６５】
また、コンセントボックス７が取付プレート５０の下面５０ｂに堅牢に保持されているため、ソファー装置１００にコンセントボックス７を取り付けるために、ソファー装置１００に開口等を設ける必要が無く、外観を良好とすることができる。
【００６６】
また、ボルト挿通孔５２、ボルト頭部７２は左右方向に離間して複数設けられている。よって、コンセントボックス７の下端部等に衝撃等が加わり、コンセントボックス７に対して取付プレート５０の下面５０ｂから引き剥がそうとするモーメントが作用しても、左右方向に離間して配置された複数のボルト挿通孔５２、ボルト頭部７２により十分に抗することができる。
【００６７】
また、コンセントボックス７０を取付プレート５０に対して後方に移動させることで、ボルト頭部７２及び係合片８１とボルト挿通孔５２及び支持片５４とは係合されているともに、係合爪６０と凹部５６の上向き片７７とは係合されている。よって、コンセントボックス７０の後方への移動によりコンセントボックス７０は取付プレート５０に取り付くため、コンセントボックス７０を取付プレート５０に容易に取り付けることができる。
【００６８】
また、ボルト頭部７２とボルト挿通孔５２との係合は、コンセントボックス７０の取付プレート５０に対する下方への移動の規制のみならず、左右方向の移動を規制している。よって、部品点数を抑えて、移動を効率的に規制することができる。
【００６９】
また、取付プレート５０はソファー装置１００とは別体であるため、取付プレート５０に設けられるボルト挿通孔５２、支持片５４及び係合爪６０を、係合状態において堅牢な構成として、設計の自由度を広げることができる。
【００７０】
また、取付プレート５０はコンセントボックス７０に対向する面を下方に向けて、天板４の下面に設けられている。よって、天板４の下方に形成される上下方向の空間を利用して、取付プレート５０を天板４の下面に取り付けることができるとともに、当該取付プレート５０に対してコンセントボックス７０を取り付けることができる。
【００７１】
なお、本発明に係る什器は、本発明の主旨を逸脱しない限り、上記実施の形態で挙げた構成を取捨選択したり、他の構成に適宜変更したりすることが可能である。
【００７２】
例えば、コンセントユニット５は、天板４の下面に設けられているのみならず、天板４等の機能部材の側面や上面、前面等設置面は適宜設定可能である。また、コンセントユニット５は、天板４のみならず、什器の座３部や背凭れ２等に設けられていてもよい。
【符号の説明】
【００７３】
１…支持体
２…背凭れ
３…座
４…天板（什器本体、機能部品）
５…コンセントユニット（配線接続ユニット）
５０…取付プレート（ベース部材）
５１…取付孔
５２…ボルト挿通孔（挿通孔、第一被係合部、第一係合要素、取付手段）
５２ａ…第一平面部
５２ｂ…第一円弧部
５２ｃ…第二円弧部
５２ｄ…第二平面部
５２ｅ…第三円弧部
５２ｆ…第四円弧部
５２ｇ…段部
５３…円弧壁部
５４…支持片
５６…凹部
５７…上壁部
６０…係合爪（突出片、第二係合部、第二係合要素、取付手段）
６１…基部
６２…連結部
６３…肉抜き凹部
６４…側壁部
６５…係合壁部
６６…スリット
６７…凹部
６８…上壁部
７０…コンセントボックス
７１…ボックス本体部
７２…ボルト頭部（凸部、第一係合部、第一係合要素、取付手段）
７２ａ…円弧部
７２ｂ…平面部
７５…係合溝
７６…傾斜面
７７…上向き片
７８…凹部（第二被係合部、第二係合要素、取付手段）
７９…規制壁部
８０…コンセントカバー部
８１…係合片
８２…係合基部
８３…係合片部
８６…差込口（接続部）
８７…ＵＳＢポート（接続部）
１００…ソファー装置
Ｆ…床面
【図１】
2018073745.tif 000003
【図２】
2018073745.tif 000004
【図３】
2018073745.tif 000005
【図４】
2018073745.tif 000006
【図５】
2018073745.tif 000007
【図６】
2018073745.tif 000008
【図７】
2018073745.tif 000009
【図８】
2018073745.tif 000010
【図９】
2018073745.tif 000011
【図１０】
2018073745.tif 000012